(57)【要約】  ベース部材ＢＭ１に設けられた穴Ｈ１により、光学ユニットＬＵ１が保持される。光学ユニットＬＵ１は、レーザ発光素子３０とレンズＬＮ１とから構成される。ベース部材ＢＭ１には、当該ベース部材ＢＭ１の穴Ｈ１におけるレーザ発光素子３０の位置を決めるために使用されるガイド部Ｇ１（Ｇ１ｖ）が設けられる。
2017017864.tif 000002
【特許請求の範囲】
【請求項１】
レーザ光を出射する光学ユニット（ＬＵ１）と、
ベース部材（ＢＭ１，ＢＭ１Ａ，ＢＭ１Ｂ）と、を備え、
前記光学ユニットは、前記レーザ光を出射するレーザ発光素子（３０）と、当該レーザ光が透過するレンズ（ＬＮ１）とから構成され、
前記ベース部材には、前記光学ユニットを保持するための穴（Ｈ１）が設けられ、
前記ベース部材には、さらに、前記穴における前記レーザ発光素子の位置を決めるために使用されるガイド部（Ｇ１（Ｇ１ｖ），Ｇ１Ａ（Ｇ１ｘ））が設けられる
レーザ光源装置。
【請求項２】
前記ベース部材のうち、前記穴と接する部分には、前記光学ユニットの前記レーザ発光素子を保持する保持部（Ｈｘ２）が設けられる
請求項１に記載のレーザ光源装置。
【請求項３】
前記ベース部材の主面（ＢＭｓ）に、前記ガイド部および前記穴は設けられ、
前記ガイド部は前記穴と接する
請求項１または２に記載のレーザ光源装置。
【請求項４】
前記穴には、前記レーザ発光素子が挿入されている
請求項１から３のいずれか１項に記載のレーザ光源装置。
【請求項５】
前記レーザ発光素子は、前記穴に当該レーザ発光素子を挿入させるための治具（８０，８０Ａ）により、当該穴に挿入された素子である
請求項４に記載のレーザ光源装置。
【請求項６】
前記ガイド部は、前記治具の一部（Ｘ１，Ｖ１）と嵌合するための形状を有する
請求項５に記載のレーザ光源装置。
【請求項７】
平面視における前記ガイド部の形状は、長尺状であり、
平面視における前記穴の形状は、円であり、
前記ガイド部は、当該ガイド部の長手方向に沿って延在し、かつ、当該ガイド部の短手方向の中心をとおる中心線（ＣＬ）が、平面視における前記穴の中心（Ｃ１）と重ならないように、前記ベース部材に設けられる
請求項６に記載のレーザ光源装置。
【請求項８】
前記ガイド部と嵌合する、前記治具の一部は、突起（Ｘ１）であり、
前記ガイド部は、前記治具により前記レーザ発光素子が前記穴に挿入される際において前記突起と篏合する凹部である
請求項６または７に記載のレーザ光源装置。
【請求項９】
前記ガイド部と嵌合する、前記治具の一部は、凹部（Ｖ１）であり、
前記ガイド部は、前記治具により前記レーザ発光素子が前記穴に挿入される際において前記凹部と篏合する突起である
請求項６または７に記載のレーザ光源装置。
【請求項１０】
前記ガイド部は、前記ベース部材に取付けられた部材である
請求項９に記載のレーザ光源装置。
【請求項１１】
前記レーザ発光素子には、前記治具により当該レーザ発光素子が前記穴に挿入されるために、当該治具の別の一部（Ｘ２）と嵌合するノッチ部（Ｖ３）が設けられる
請求項５から１０のいずれか１項に記載のレーザ光源装置。
【請求項１２】
平面視における前記ベース部材の形状は、長尺状であり、
平面視における前記ガイド部の形状は、長尺状であり、
前記ガイド部は、平面視における、前記ベース部材の長手方向に沿って延在する
請求項１から１１のいずれか１項に記載のレーザ光源装置。
【請求項１３】
平面視における前記ベース部材の形状は、長尺状であり、
平面視における前記ガイド部の形状は、長尺状であり、
前記ガイド部は、平面視における、前記ベース部材の短手方向に沿って延在する
請求項１から１１のいずれか１項に記載のレーザ光源装置。
【発明の詳細な説明】
【技術分野】
【０００１】
本発明は、レーザ光を出射するレーザ光源装置に関する。
【背景技術】
【０００２】
近年、映像を大画面に投射するプロジェクタにおいて、当該映像を構成する光の高輝度化が求められている。当該プロジェクタの用途は、例えば、デジタルシネマにおける用途、大会議室における用途、屋外でプロジェクションマッピングを行うための用途等である。【０００３】
プロジェクタの用途がデジタルシネマにおける用途である場合、当該プロジェクタとして、レーザ光源装置を備えたレーザプロジェクタが採用されつつある。そのため、レーザ光源装置が出射するレーザ光の高輝度化が求められている。【０００４】
一般に、単一のレーザ発光素子が出射するレーザ光の高輝度化には限界がある。そのため、レーザプロジェクタでは、複数のレーザ発光素子が出射するレーザ光を効率よく合成することにより、レーザ光源装置が出射するレーザ光の高輝度化を実現している。【０００５】
このような、レーザ光源装置等の光源装置においては、通常、レーザ発光素子等の光源の前方に、レンズ、偏光板等の光学部品が配置される。複数のレーザ発光素子に対応して当該光学部品が配置された状態では、以下の光学特性を高精度に制御することが非常に重要である。当該光学特性は、光軸の向き、各レーザ発光素子が出射する各レーザ光の平行度合い、配光特性等である。【０００６】
特許文献１では、光学特性を高精度に制御するために、光源を高精度に固定するための技術（以下、「関連技術Ａ」ともいう）が開示されている。具体的には、関連技術Ａでは、光源支持部材が、光源（レーザ素子）が嵌合する嵌合部と、ねじが挿入される挿入穴とを有する。嵌合部と挿入穴との間には、延設部が設けられる。延設部は、ねじが挿入穴に挿入された場合に生じる応力が、嵌合部へ伝達することを抑制するように構成される。そのため、嵌合部に加わる応力の低減が実現される。【０００７】
特許文献２では、光源ユニットの光軸（光学特性）を高精度に調整するための技術（以下、「関連技術Ｂ」ともいう）が開示されている。具体的には、関連技術Ｂでは、光源保持部材が、光源（レーザ素子）とコリメータレンズとを保持する。当該光源保持部材は、ベース部材に収容されている。
【先行技術文献】
【特許文献】
【０００８】
【特許文献１】特開２０１２−１４２１０２号公報
【特許文献２】特開２０１３−１３８０８６号公報
【発明の概要】
【発明が解決しようとする課題】
【０００９】
光源装置では、低コスト化を実現するために、光源をベース部材に固定する構成の部品点数をなるべく少なくすることが望まれる。関連技術Ａでは、光源（レーザ素子）を、ねじを利用して、ベース部材に固定する。そのため、光源をベース部材に固定する構成において、ねじのぶんだけ部品点数が増加するという問題がある。【００１０】
また、関連技術Ｂでは、光源（レーザ素子）を、光源保持部材を利用して、ベース部材に固定する。そのため、光源をベース部材に固定する構成において、光源保持部材のぶんだけ部品点数が増加するという問題がある。なお、光源をベース部材に固定する場合、ベース部材における光源の位置を決める必要がある。【００１１】
本発明は、このような問題を解決するためになされたものであり、光源をベース部材に固定する構成の部品点数をなるべく少なくしつつ、ベース部材における光源の位置を決めることが可能なレーザ光源装置を提供することを目的とする。
【課題を解決するための手段】
【００１２】
上記目的を達成するために、本発明の一態様に係るレーザ光源装置は、レーザ光を出射する光学ユニットと、ベース部材と、を備え、前記光学ユニットは、前記レーザ光を出射するレーザ発光素子と、当該レーザ光が透過するレンズとから構成され、前記ベース部材には、前記光学ユニットを保持するための穴が設けられ、前記ベース部材には、さらに、前記穴における前記レーザ発光素子の位置を決めるために使用されるガイド部が設けられる。
【発明の効果】
【００１３】
本発明によれば、前記ベース部材に設けられた穴により、前記光学ユニットが保持される。当該光学ユニットは、レーザ発光素子とレンズとから構成される。そのため、前記ベース部材に設けられた穴が、光源としてのレーザ発光素子を保持する機能を有する。なお、レーザ発光素子は、レーザ光を出射する光源である。【００１４】
これにより、光源であるレーザ発光素子をベース部材に固定する構成において、従来のように、別途、部材を設ける必要がない。したがって、光源をベース部材に固定する構成の部品点数をなるべく少なくすることができる。【００１５】
また、ベース部材には、当該ベース部材の穴における前記レーザ発光素子の位置を決めるために使用されるガイド部が設けられる。【００１６】
以上により、光源をベース部材に固定する構成の部品点数をなるべく少なくしつつ、ベース部材における光源の位置を決めることができる。【００１７】
この発明の目的、特徴、態様、および利点は、以下の詳細な説明と添付図面とによって、より明白となる。
【図面の簡単な説明】
【００１８】
【図１】本発明の実施の形態１に係るレーザ光源装置の構成を示す図である。
【図２】本発明の実施の形態１に係るレーザ光源装置の断面図である。
【図３】光学ユニットがレーザ光を出射している状態を示す斜視図である。
【図４】本発明の実施の形態１に係るレーザ発光素子の構成を示す図である。
【図５】穴の構成を詳細に説明するための図である。
【図６】治具の構成を示す図である。
【図７】治具挿入状態の構成を示す図である。
【図８】篏合状態ＳｔＪの治具を示す図である。
【図９】本発明の実施の形態２に係るレーザ光源装置の斜視図である。
【図１０】本発明の実施の形態３に係るレーザ光源装置の斜視図である。
【発明を実施するための形態】
【００１９】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００２０】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００２１】
＜実施の形態１＞
図１は、本発明の実施の形態１に係るレーザ光源装置１００の構成を示す図である。図１（ａ）は、レーザ光源装置１００の斜視図である。図１（ｂ）は、レーザ光源装置１００の平面図である。
【００２２】
レーザ光源装置１００は、レーザ光ＬＴ１を出射する装置である。レーザ光源装置１００は、例えば、プロジェクタの光源として使用される装置である。すなわち、レーザ光源装置１００は、プロジェクタに取付けられる。以下においては、レーザ光源装置１００が取付けられる対象の装置を、「取付け対象装置」ともいう。
【００２３】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００２４】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２５】
図２は、図１（ａ）のＡ１−Ａ２線に沿った、レーザ光源装置１００の断面図である。図１および図２を参照して、レーザ光源装置１００は、複数の光学ユニットＬＵ１と、ベース部材ＢＭ１とを備える。図１および図２では、一例として、８個の光学ユニットＬＵ１が示される。なお、光学ユニットＬＵ１の数は、８に限定されず、２〜７のいずれか、または、９以上であってもよい。
【００２６】
光学ユニットＬＵ１は、詳細は後述するが、図３のように、Ｚ方向へレーザ光ＬＴ１を出射するユニットである。ベース部材ＢＭ１は、詳細は後述するが、光学ユニットＬＵ１を保持するための部材である。光学ユニットＬＵ１は、レーザ発光素子３０と、レンズＬＮ１とから構成される。
【００２７】
レーザ発光素子３０は、レーザ光ＬＴ１を放射状に出射する。すなわち、レーザ光ＬＴ１の発散角は、１度以上である。
【００２８】
図４は、本発明の実施の形態１に係るレーザ発光素子３０の構成を示す図である。以下においては、レーザ発光素子３０のうち、レーザ光ＬＴ１を出射する面を、「光出射面」ともいう。図４（ａ）は、レーザ発光素子３０の光出射面を主に示す斜視図である。図４（ｂ）は、レーザ発光素子３０の底面側を主に示す斜視図である。
【００２９】
図２、図４（ａ）および図４（ｂ）を参照して、レーザ発光素子３０は、レーザ素子Ｌ３と、ステム３１と、キャップ３２と、ガラス３３と、２本のリードピン３４とを含む。
【００３０】
レーザ素子Ｌ３は、レーザ光ＬＴ１を出射する半導体素子である。レーザ素子Ｌ３は、例えば、直線状に配置された複数の点光源（図示せず）により構成される。
【００３１】
ステム３１は、板状の部材である。ステム３１は、例えば、鉄により構成される。平面視（ＸＹ面）におけるステム３１の形状は、円である。当該円の直径は、例えば、９ｍｍである。ステム３１は、主面３１ｓを有する。ステム３１は、レーザ素子Ｌ３が出射するレーザ光ＬＴ１の方向、レーザ発光素子３０の位置等を決めるための基準となる部材である。なお、レーザ素子Ｌ３は、図２のように、ステム３１上に設けられる。
【００３２】
キャップ３２は、レーザ素子Ｌ３を収容する部材である。キャップ３２は、ステム３１の主面３１ｓに、溶接、ろう等により、固定されている。キャップ３２は、例えば、金属で構成される。キャップ３２の上面には、開口が設けられる。ガラス３３は、透光性を有する。ガラス３３は、キャップ３２の開口を塞ぐように、キャップ３２に設けられる。
【００３３】
リードピン３４は、レーザ素子Ｌ３に電流を供給するためのピンである。リードピン３４は、ステム３１を貫通して、レーザ素子Ｌ３に接続される。なお、レーザ発光素子３０に設けられるリードピン３４の数は２に限定されない。
【００３４】
レーザ発光素子３０には、ノッチ部Ｖ３が設けられる。具体的には、レーザ発光素子３０のステム３１の側面部には、複数のノッチ部Ｖ３が設けられる。なお、図４（ａ）および図４（ｂ）は、ステム３１に、一例として、２つのノッチ部Ｖ３が設けられている構成を示す。ノッチ部Ｖ３は、詳細は後述するが、レーザ発光素子３０の位置を決めるための構成要素である。
【００３５】
以下においては、平面視（ＸＹ面）におけるステム３１の形状である円の中心をとおる線を、「ステム中心線」ともいう。ノッチ部Ｖ３は、平面視（ＸＹ面）において、ステム３１のうち、ステム中心線と交差する、当該ステム３１の２つの側面部に設けられる。
【００３６】
ノッチ部Ｖ３は、レーザ発光素子３０の位置および配置角度を規定するための切欠きである。平面視（ＸＹ面）におけるノッチ部Ｖ３の形状は、例えば、Ｖ字状、Ｕ字状等である。
【００３７】
再び、図１および図２を参照して、レンズＬＮ１は、レーザ発光素子３０から出射されるレーザ光ＬＴ１が透過するように、ベース部材ＢＭ１に設けられる。レンズＬＮ１は、レーザ光ＬＴ１を、平行光にするためのレンズである。レンズＬＮ１は、例えば、コリメータレンズである。レンズＬＮ１は、図２に示される、レーザ発光素子３０の光軸Ｌａｘに対し回転対称な形状を有する凸レンズである。当該光軸Ｌａｘは、レーザ光ＬＴ１の光軸である。
【００３８】
次に、ベース部材ＢＭ１について説明する。ベース部材ＢＭ１は、例えば、アルミニウムなどの金属から構成される。ベース部材ＢＭ１は、平面である主面ＢＭｓを有する。主面ＢＭｓは、レーザ光ＬＴ１が出射される面（光出射面）である。
【００３９】
ベース部材ＢＭ１の形状は、略直方体である。平面視（ＸＹ面）におけるベース部材ＢＭ１の形状は、長尺状（長方形）である。ベース部材ＢＭ１には、光学ユニットＬＵ１を保持するための穴Ｈ１が設けられる。具体的には、ベース部材ＢＭ１の主面ＢＭｓには、光学ユニットＬＵ１の数と同じ数の穴Ｈ１が設けられる。穴Ｈ１は、ベース部材ＢＭ１を貫通する貫通穴である。
【００４０】
平面視（ＸＹ面）における各穴Ｈ１の形状は、円である。各穴Ｈ１には、光学ユニットＬＵ１が挿入されている。すなわち、各穴Ｈ１には、レーザ発光素子３０が挿入されている。
【００４１】
図５は、穴Ｈ１の構成を詳細に説明するための図である。具体的には、図５は、図２のベース部材ＢＭ１の一部の拡大図である。なお、図５では、穴Ｈ１の構成を見やすくするために、光学ユニットＬＵ１を示していない。以下においては、ベース部材ＢＭ１のうち、穴Ｈ１と接する部分を、「穴周縁部」ともいう。
【００４２】
穴Ｈ１は、ベース部材ＢＭ１の底面に近い程、当該穴Ｈ１の直径が段階的に小さくなるように構成される。具体的には、穴Ｈ１ａ，Ｈ１ｂ，Ｈ１ｃから構成される。穴Ｈ１ａ，Ｈ１ｂ，Ｈ１ｃの各々の形状は、円柱状である。穴Ｈ１ａの直径は、穴Ｈ１ｂの直径より大きい。穴Ｈ１ｂの直径は、穴Ｈ１ｃの直径より大きい。
【００４３】
なお、穴Ｈ１ｃの形状は、円柱状でなくてもよい。穴Ｈ１ｃの形状は、レーザ発光素子３０の２本のリードピン３４が貫通可能な形状であれば、他の形状であってもよい。当該他の形状は、例えば、断面が楕円の柱状である。
【００４４】
また、穴周縁部には、保持部Ｈｘ１，Ｈｘ２が設けられる。保持部Ｈｘ１は、穴Ｈ１ａと穴Ｈ１ｂとの境界部分である。保持部Ｈｘ２は、穴Ｈ１ｂと穴Ｈ１ｃとの境界部分である。保持部Ｈｘ１，Ｈｘ２の各々は、穴周縁部における段差部として機能する。平面視（ＸＹ面）における保持部Ｈｘ１，Ｈｘ２の各々の形状は、環状である。
【００４５】
保持部Ｈｘ１には、図２のように、レンズＬＮ１の周縁部が載せられる。保持部Ｈｘ２には、図２のように、レーザ発光素子３０が載せられる。具体的には、保持部Ｈｘ２には、レーザ発光素子３０のステム３１の周縁部が載せられる。これにより、レーザ発光素子３０は、保持部Ｈｘ２により保持される。すなわち、穴周縁部には、光学ユニットＬＵ１のレーザ発光素子３０を保持する保持部Ｈｘ２が設けられる。
【００４６】
また、図１を参照して、ベース部材ＢＭ１の主面ＢＭｓには、穴Ｈ２ａ，Ｈ２ｂが設けられる。穴Ｈ２ａ，Ｈ２ｂは、レーザ光源装置１００を取付け対象装置（プロジェクタ）に取付ける際に、当該取付け対象装置におけるレーザ光源装置１００の位置を決めるための穴である。
【００４７】
次に、レーザ光源装置１００の動作について簡単に説明する。図２および図３を参照して、レーザ発光素子３０（光学ユニットＬＵ１）から出射されたレーザ光ＬＴ１は、レンズＬＮ１を透過する。なお、レーザ光ＬＴ１の光軸は、図２の光軸Ｌａｘである。各光学ユニットＬＵ１からのレーザ光ＬＴ１の光軸Ｌａｘは、互いに平行である。
【００４８】
なお、レーザ発光素子３０のレーザ素子Ｌ３は、前述したように、直線状に配置された複数の点光源（図示せず）により構成される。そのため、図３のように、レーザ光ＬＴ１の断面の形状は、楕円である。以下においては、レーザ光ＬＴ１の断面の形状である楕円を、「楕円Ｅ１」ともいう。
【００４９】
各光学ユニットＬＵ１は、レーザ光ＬＴ１を、Ｚ方向へ出射する。そのため、各光学ユニットＬＵ１から出射されるレーザ光ＬＴ１に対応する楕円Ｅ１の長軸は、互いに平行となる。
【００５０】
なお、レーザ光は、当該レーザ光に含まれる偏光の向きをそろえることが容易であるという性質（以下、「性質Ｐ１」という）を有する。当該性質Ｐ１は、プロジェクタ等において、積極的に使われる。そのため、偏光の向きの精度は、所定の精度以上に管理する必要がある。
【００５１】
偏光の向きは、図３のレーザ光ＬＴ１に対応する楕円Ｅ１の向きと同等である。そのため、偏光の向きは、レーザ発光素子３０に含まれるステム３１上のレーザ素子Ｌ３の向きで決まる。レーザ素子Ｌ３の向きは、所定の精度の向きでステム３１上に設けられている。そのため、偏光の向きの精度を管理するためには、ベース部材ＢＭ１に対する、ステム３１の向きの精度を、所定の精度以上に管理する必要がある。
【００５２】
（特徴的な構成）
次に、上記の要求を満たすための、本実施の形態における特徴的な構成（以下、「特徴構成Ｎ１」ともいう）について詳細に説明する。特徴構成Ｎ１に係るレーザ光源装置１００のベース部材ＢＭ１には、前述したように、光学ユニットＬＵ１を保持するための穴Ｈ１が設けられる。
【００５３】
また、図１（ａ）、図１（ｂ）、図２および図５を参照して、ベース部材ＢＭ１の主面ＢＭｓには、ガイド部Ｇ１が設けられる。特徴構成Ｎ１において、ガイド部Ｇ１は、凹部である。ガイド部Ｇ１は、例えば、溝である。なお、図１（ａ）および図１（ｂ）では、一例として、２つのガイド部Ｇ１が示されている。
【００５４】
平面視（ＸＹ面）におけるガイド部Ｇ１の形状は、長尺状である。ガイド部Ｇ１は、平面視（ＸＹ面）における、ベース部材ＢＭ１の長手方向（Ｘ軸方向）に沿って延在する。
【００５５】
以下においては、図１（ｂ）のように、ガイド部Ｇ１の長手方向（Ｘ軸方向）に沿って延在し、かつ、ガイド部Ｇ１の短手方向（Ｙ軸方向）の中心をとおる線を、「中心線ＣＬ」ともいう。前述したように、平面視（ＸＹ面）における穴Ｈ１の形状は、円である。以下においては、平面視（ＸＹ面）における穴Ｈ１の中心を、「中心Ｃ１」ともいう。
【００５６】
図１（ａ）および図１（ｂ）のように、ガイド部Ｇ１は、例えば、Ｘ軸方向に並ぶ４個の穴Ｈ１と接するように設けられる。ガイド部Ｇ１は、各穴Ｈ１により、５個のガイド部Ｇ１ｖに分割される。すなわち、ガイド部Ｇ１は、直線状に並ぶ複数のガイド部Ｇ１ｖから構成される。つまり、各ガイド部Ｇ１ｖは、ガイド部Ｇ１の一部である。すなわち、ガイド部Ｇ１ｖは、凹部（溝）である。
【００５７】
ガイド部Ｇ１ｖは、各穴Ｈ１に接するように、ベース部材ＢＭ１の主面ＢＭｓに設けられる。なお、各穴Ｈ１には、図２のように、２つのガイド部Ｇ１ｖが接する。すなわち、各穴Ｈ１には、ガイド部Ｇ１の一部であるガイド部Ｇ１ｖが接する。
【００５８】
また、ガイド部Ｇ１は、図１（ｂ）のように、中心線ＣＬが、平面視（ＸＹ面）における穴Ｈ１の中心Ｃ１と重ならないように、設けられる。
【００５９】
次に、レーザ光源装置１００を組み立てるための方法（以下、「装置組立て方法Ｎ」ともいう）について説明する。装置組立て方法Ｎでは、治具８０が使用される。治具８０は、レーザ発光素子３０を、ベース部材ＢＭ１に取付けるために使用される治具である。具体的には、治具８０は、レーザ光源装置１００（ベース部材ＢＭ１）の穴Ｈ１にレーザ発光素子３０を挿入させるための治具である。
【００６０】
図６は、治具８０の構成を示す図である。図６（ａ）は、治具８０の上部の構成を分かり易く示すための斜視図である。図６（ｂ）は、治具８０の下部の構成を分かり易く示すための斜視図である。
【００６１】
図６（ａ）および図６（ｂ）を参照して、治具８０の形状は、略円柱状である。治具８０は、つまみ部８０ｕと円柱部８０ｂとを含む。つまみ部８０ｕは、作業者がつまむための部分である。つまみ部８０ｕは、底面８０ｕｓを有する。平面視（ＸＹ面）における底面８０ｕｓの形状は、円である。平面視（ＸＹ面）における底面８０ｕｓのサイズは、平面視（ＸＹ面）における穴Ｈ１のサイズより大きい。
【００６２】
円柱部８０ｂは、ベース部材ＢＭ１の穴Ｈ１に挿入される部分である。円柱部８０ｂの形状は、穴Ｈ１に挿入可能な形状を有する。円柱部８０ｂの形状は、略円柱状である。円柱部８０ｂは、底面８０ｂｓを有する。底面８０ｂｓの形状は、環状である。
【００６３】
以下においては、治具８０の円柱部８０ｂが、ベース部材ＢＭ１の穴Ｈ１に挿入された状態を、「治具挿入状態」ともいう。
【００６４】
図７は、治具挿入状態の構成を示す図である。図７では、一例として、ベース部材ＢＭ１の８個の穴Ｈ１に、それぞれ、８個の治具８０が挿入された状態を示す。
【００６５】
図６および図７を参照して、治具挿入状態において、つまみ部８０ｕの底面８０ｕｓは、ベース部材ＢＭ１の主面ＢＭｓに接する。
【００６６】
再び、図６（ａ）および図６（ｂ）を参照して、治具８０は、突起Ｘ１と、２つの突起Ｘ２（爪部）とを含む。
【００６７】
突起Ｘ１は、つまみ部８０ｕの底面８０ｕｓの端部に設けられる。突起Ｘ１は、ガイド部Ｇ１ｖ（Ｇ１）と篏合するための形状を有する。突起Ｘ１は、治具８０の一部である。すなわち、ガイド部Ｇ１ｖ（Ｇ１）は、治具８０の一部である突起Ｘ１と嵌合するための形状を有する。治具挿入状態において、治具８０の突起Ｘ１は、ガイド部Ｇ１ｖと篏合する。なお、治具８０に設けられる突起Ｘ１の数は、１に限定されず２以上であってもよい。
【００６８】
突起Ｘ２は、治具８０の一部である。突起Ｘ２は、ステム３１のノッチ部Ｖ３と篏合するための形状を有する。突起Ｘ２は、円柱部８０ｂの下部に設けられる。
【００６９】
以下においては、レーザ発光素子３０のキャップ３２を、治具８０の円柱部８０ｂの下部に引き寄せるための力を、「引き寄せ力Ｐｗ１」ともいう。また、以下においては、引き寄せ力Ｐｗ１を発生する機能を有する装置を、「力発生装置」ともいう。
【００７０】
力発生装置は、作業者により操作可能なように構成される。力発生装置は、例えば、電磁石を利用した装置である。この場合、力発生装置は、作業者の操作に従って、当該電磁石から磁力を発生させることにより、引き寄せ力Ｐｗ１を発生する。これにより、レーザ発光素子３０のキャップ３２が、治具８０の円柱部８０ｂの下部に引き寄せられる。
【００７１】
また、力発生装置は、作業者の操作に従って、電磁石から磁力を発生させないことにより、発生している引き寄せ力Ｐｗ１をなくすこともできる。力発生装置は、例えば、治具８０の内部に設けられる。
【００７２】
なお、力発生装置は、例えば、空気を吸い込む機能を有する吸引装置等であってもよい。
【００７３】
治具８０の突起Ｘ２は、ステム３１のノッチ部Ｖ３と篏合するように構成される。以下においては、治具８０の突起Ｘ２が、ステム３１のノッチ部Ｖ３に篏合した状態を、「篏合状態ＳｔＪ」ともいう。また、以下においては、突起Ｘ２がノッチ部Ｖ３に篏合する精度を、「篏合精度」ともいう。
【００７４】
図８は、篏合状態ＳｔＪの治具８０を示す図である。図８（ａ）は、篏合状態ＳｔＪの治具８０を、図６（ａ）と同じ視点からみた斜視図である。図８（ｂ）は、篏合状態ＳｔＪの治具８０を、図６（ｂ）と同じ視点からみた斜視図である。
【００７５】
なお、篏合状態ＳｔＪにおいて前述の引き寄せ力Ｐｗ１が発生していない場合、当該篏合状態ＳｔＪが維持されないように、突起Ｘ２およびノッチ部Ｖ３は構成される。例えば、篏合状態ＳｔＪにおいて、突起Ｘ２とノッチ部Ｖ３との間に微小な隙間が存在するように、突起Ｘ２およびノッチ部Ｖ３は構成される。
【００７６】
また、篏合状態ＳｔＪにおいて、治具８０の底面８０ｂｓは、ステム３１の主面３１ｓに接する。
【００７７】
次に、装置組立て方法Ｎにおける各工程について説明する。装置組立て方法Ｎでは、まず、把持工程が行われる。把持工程では、作業者が、治具８０の突起Ｘ２が、レーザ発光素子３０のノッチ部Ｖ３と篏合するように、治具８０をレーザ発光素子３０に押し付ける。これにより、治具８０の一部である突起Ｘ２は、ノッチ部Ｖ３と嵌合する。その結果、治具８０の状態は、篏合状態ＳｔＪになる。なお、ノッチ部Ｖ３は、後述の挿入工程において治具８０によりレーザ発光素子３０が穴Ｈ１に挿入されるために、突起Ｘ２と嵌合する部分である。
【００７８】
篏合状態ＳｔＪにおいては、治具８０に対するレーザ発光素子３０の向き、すなわち、レーザ発光素子３０の光軸に対するノッチ部Ｖ３の向きは、篏合精度により決まる。また、篏合状態ＳｔＪにおいては、治具８０に対するレーザ発光素子３０の鉛直方向（垂直方向）の位置は、篏合精度により決まる。
【００７９】
そして、作業者は、治具８０の力発生装置が、引き寄せ力Ｐｗ１を発生するように、当該力発生装置を操作する。引き寄せ力Ｐｗ１の発生により、篏合状態ＳｔＪが維持される。すなわち、治具８０は、レーザ発光素子３０を把持した状態を維持する。なお、作業者は、上記と同様な動作を繰り返し行うことにより、篏合状態ＳｔＪの治具８０を、ベース部材ＢＭ１の穴Ｈ１の数と同じ数だけ用意する。
【００８０】
なお、ベース部材ＢＭ１の各穴Ｈ１の保持部Ｈｘ２には、はんだが設けられる。
【００８１】
次に、挿入工程が行われる。挿入工程では、作業者が、篏合状態ＳｔＪの治具８０の突起Ｘ１がベース部材ＢＭ１のガイド部Ｇ１ｖ（Ｇ１）と篏合するように、当該治具８０の円柱部８０ｂを穴Ｈ１に挿入する動作を行う。そして、作業者は、治具８０の力発生装置が、引き寄せ力Ｐｗ１を発生しないように、当該力発生装置を操作する動作を行う。以上の動作を、作業者は、穴Ｈ１の数と同じ数だけ繰り返し行う。
【００８２】
これにより、各穴Ｈ１に、レーザ発光素子３０が挿入される。すなわち、レーザ発光素子３０は、治具８０により、穴Ｈ１に挿入された素子である。また、ガイド部Ｇ１ｖ（Ｇ１）は、治具８０によりレーザ発光素子３０が穴Ｈ１に挿入される際において突起Ｘ１と篏合する。また、突起Ｘ１がガイド部Ｇ１ｖと篏合することにより、穴Ｈ１におけるレーザ発光素子３０の位置および向きが決まる。すなわち、ガイド部Ｇ１ｖ（Ｇ１）は、穴Ｈ１におけるレーザ発光素子３０の位置および向きを決めるために使用される。
【００８３】
各穴Ｈ１に治具８０の円柱部８０ｂ（レーザ発光素子３０）が挿入されることにより、ベース部材ＢＭ１の状態は、図７のようになる。
【００８４】
なお、治具８０は、当該治具８０の状態が、篏合状態ＳｔＪおよび治具挿入状態である場合において、レーザ発光素子３０のステム３１が、穴Ｈ１の保持部Ｈｘ２に載置されるように構成される。また、治具８０の力発生装置が、引き寄せ力Ｐｗ１を発生していないため、上記の挿入工程により、各穴Ｈ１の保持部Ｈｘ２に、はんだを介して、レーザ発光素子３０のステム３１が載置される。
【００８５】
したがって、上記の挿入工程により、ベース部材ＢＭ１に対する各治具８０の向きは、図７のように、同一の向きとなる。
【００８６】
治具８０に対するレーザ発光素子３０の向きは、突起Ｘ２およびノッチ部Ｖ３の位置により決まっている。そのため、各治具８０の向きは、レーザ発光素子３０の向きに対応する。したがって、上記の挿入工程により、ベース部材ＢＭ１に対する各レーザ発光素子３０の向きが決まる。
【００８７】
なお、ベース部材ＢＭ１への各レーザ発光素子３０の取付けの精度は、ノッチ部Ｖ３に対する突起Ｘ２の篏合精度、および、ガイド部Ｇ１ｖ（Ｇ１）に対する突起Ｘ１の篏合精度を管理することにより、必要な精度に管理される。
【００８８】
なお、前述したように、図１（ｂ）において、ガイド部Ｇ１は、中心線ＣＬが、平面視（ＸＹ面）における穴Ｈ１の中心Ｃ１と重ならないように、設けられる。また、ガイド部Ｇ１は、直線状に並ぶ複数のガイド部Ｇ１ｖから構成される。そのため、挿入工程において、治具８０の向きが、所望の向きに対し１８０度反転した向きとなった状態で、突起Ｘ１がベース部材ＢＭ１のガイド部Ｇ１ｖと篏合することはない。したがって、レーザ発光素子３０のリードピン３４の極性を間違えるといった不具合の発生を防ぐことができる。
【００８９】
挿入工程の次に、固定工程が行われる。固定工程では、図７の状態において、各レーザ発光素子３０に所定の押圧が与えられるように、各治具８０に対し押圧が与えられる。そして、保持部Ｈｘ２と、レーザ発光素子３０のステム３１との間に存在するはんだを溶かすために、ベース部材ＢＭ１（レーザ光源装置１００）が加熱される。当該加熱は、例えば、高温炉を用いて行われる。
【００９０】
なお、はんだを溶かすために、ベース部材ＢＭ１の下部（すなわち、ベース部材ＢＭ１のうち主面ＢＭｓと反対側の面側）を、ヒーターで加熱する処理が行われてもよい。
【００９１】
これにより、レーザ発光素子３０のステム３１が、はんだを介して、保持部Ｈｘ２に精度よく固定される。
【００９２】
なお、ステム３１を保持部Ｈｘ２に固定する材料として、接着剤を使用した構成としてもよい。当該構成では、まず、ベース部材ＢＭ１の各穴Ｈ１の保持部Ｈｘ２に、接着剤が塗布される。そして、前述の挿入工程と同様に、治具８０により、各穴Ｈ１にレーザ発光素子３０が挿入される。これにより、穴Ｈ１の保持部Ｈｘ２に、接着剤を介して、レーザ発光素子３０のステム３１が載置される。
【００９３】
その後、接着剤を硬化させるための硬化処理が行われる。当該硬化処理は、例えば、硬化槽において行われる。これにより、レーザ発光素子３０のステム３１が、接着剤を介して、保持部Ｈｘ２に精度よく固定される。
【００９４】
固定工程の次に、レンズ固定工程が行われる。レンズ固定工程では、各穴Ｈ１の保持部Ｈｘ１に、レンズＬＮ１が載置される。そして、レンズＬＮ１の周囲に接着剤が充填される。次に、接着剤を硬化させるための処理が行われる。これにより、各穴Ｈ１の保持部Ｈｘ１に、レンズＬＮ１が固定される。以上により、装置組立て方法Ｎの各工程は終了する。当該装置組立て方法Ｎにより、レーザ光源装置１００の組み立ては終了する。
【００９５】
以上説明したように、本実施の形態によれば、ベース部材ＢＭ１に設けられた穴Ｈ１により、光学ユニットＬＵ１が保持される。光学ユニットＬＵ１は、レーザ発光素子３０とレンズＬＮ１とから構成される。そのため、ベース部材ＢＭ１に設けられた穴Ｈ１が、光源としてのレーザ発光素子３０を保持する機能を有する。なお、レーザ発光素子３０は、レーザ光ＬＴ１を出射する光源である。
【００９６】
これにより、光源であるレーザ発光素子３０をベース部材ＢＭ１に固定する構成において、従来のように、別途、部材を設ける必要がない。したがって、光源（レーザ発光素子３０）をベース部材ＢＭ１に固定する構成の部品点数をなるべく少なくすることができる。
【００９７】
また、ベース部材ＢＭ１には、当該ベース部材ＢＭ１の穴Ｈ１におけるレーザ発光素子３０の位置を決めるために使用されるガイド部Ｇ１（Ｇ１ｖ）が設けられる。
【００９８】
以上により、光源（レーザ発光素子３０）をベース部材ＢＭ１に固定する構成の部品点数をなるべく少なくしつつ、ベース部材ＢＭ１における光源の位置を決めることができる。
【００９９】
また、本実施の形態によれば、篏合状態ＳｔＪの治具８０の突起Ｘ１がベース部材ＢＭ１のガイド部Ｇ１ｖと篏合するように、当該治具８０の円柱部８０ｂを穴Ｈ１に挿入される。これにより、穴Ｈ１におけるレーザ発光素子の位置および向きを高精度に決めることができる。したがって、高精度に構成されたレーザ光源装置１００を提供することができる。
【０１００】
また、本実施の形態によれば、ベース部材ＢＭ１に対し、レーザ発光素子３０を、高精度に取付けることができる。したがって、レーザ発光素子３０の光学調芯を不要とすることができる。
【０１０１】
また、本実施の形態によれば、光源をベース部材ＢＭ１に固定する構成の部品点数を少なくすることができるため、安価で、かつ、軽量なレーザ光源装置１００を提供することができる。
【０１０２】
また、本実施の形態によれば、ガイド部Ｇ１は、中心線ＣＬが、平面視（ＸＹ面）における穴Ｈ１の中心Ｃ１と重ならないように、設けられる。これにより、前述したように、レーザ発光素子３０のリードピン３４の極性を間違えるといった不具合の発生を防ぐことができる。また、レーザ発光素子３０の向きを間違えないようにすることができる。
【０１０３】
なお、ガイド部Ｇ１ｖは、レーザ発光素子３０の位置決め以外の用途に使用されてもよい。ガイド部Ｇ１ｖは、例えば、取付け対象装置にレーザ光源装置１００を取付ける際における、レーザ光源装置１００の位置決めのために使用されてもよい。これにより、当該レーザ光源装置１００の位置決めのための穴を別途設ける必要がない。
【０１０４】
また、本実施の形態によれば、ベース部材ＢＭ１の主面ＢＭｓに設けられるガイド部Ｇ１ｖは、凹部である。そのため、ガイド部Ｇ１ｖにより、ベース部材ＢＭ１の表面積を増やすことができる。したがって、ベース部材ＢＭ１（レーザ光源装置１００）の冷却効率を向上させることができる。また、冷却効率の向上により、レーザ光源装置１００のレーザ発光素子３０の寿命を長くすることができる。
【０１０５】
なお、光学ユニットＬＵ１の数は２以上としたが、これに限定されず、光学ユニットＬＵ１の数は、１であってもよい。また、ベース部材ＢＭ１の穴Ｈ１の数は、１であってもよい。
【０１０６】
なお、前述の関連技術Ａ，Ｂでは、光源をベース部材に固定する構成において、必要な部品点数が多いという問題がある。
【０１０７】
そこで、本実施の形態のレーザ光源装置１００は上記のように構成される。そのため、本実施の形態における、当該レーザ光源装置１００の構成により、上記の各問題を解決することができる。
【０１０８】
＜実施の形態２＞
本実施の形態の構成は、ガイド部が突起である構成（以下、「変形構成Ａ１」ともいう）である。以下においては、変形構成Ａ１を適用したレーザ光源装置を、「レーザ光源装置１００Ａ」ともいう。
【０１０９】
図９は、本発明の実施の形態２に係るレーザ光源装置１００Ａの斜視図である。なお、図９には、後述の治具８０Ａも示される。図９を参照して、レーザ光源装置１００Ａは、レーザ光源装置１００と比較して、ベース部材ＢＭ１の代わりにベース部材ＢＭ１Ａを備える点が異なる。レーザ光源装置１００Ａのそれ以外の構成は、レーザ光源装置１００と同様なので詳細な説明は繰り返さない。
【０１１０】
ベース部材ＢＭ１Ａは、ベース部材ＢＭ１と比較して、ガイド部Ｇ１の代わりにガイド部Ｇ１Ａが設けられている点が異なる。ベース部材ＢＭ１Ａのそれ以外の構成は、ベース部材ＢＭ１と同様なので詳細な説明は繰り返さない。すなわち、平面視（ＸＹ面）におけるベース部材ＢＭ１Ａの形状は、長尺状（長方形）である。
【０１１１】
以下においては、ガイド部Ｇ１Ａの長手方向（Ｘ軸方向）に沿って延在し、かつ、ガイド部Ｇ１Ａの短手方向（Ｙ軸方向）の中心をとおる線を、「中心線ＣＬ」ともいう。
【０１１２】
ガイド部Ｇ１Ａは、ベース部材ＢＭ１Ａの主面ＢＭｓに設けられる。ガイド部Ｇ１Ａは、主面ＢＭｓからＺ方向へ突出する突起である。なお、図９では、一例として、２つのガイド部Ｇ１Ａが示されている。
【０１１３】
なお、平面視（ＸＹ面）におけるガイド部Ｇ１Ａの形状は、長尺状である。ガイド部Ｇ１Ａは、平面視（ＸＹ面）における、ベース部材ＢＭ１Ａの長手方向（Ｘ軸方向）に沿って延在する。
【０１１４】
ガイド部Ｇ１Ａは、例えば、Ｘ軸方向に並ぶ４個の穴Ｈ１と接するように設けられる。ガイド部Ｇ１Ａは、各穴Ｈ１により、５個のガイド部Ｇ１ｘに分割される。すなわち、ガイド部Ｇ１Ａは、直線状に並ぶ複数のガイド部Ｇ１ｘから構成される。つまり、各ガイド部Ｇ１ｘは、ガイド部Ｇ１Ａの一部である。すなわち、ガイド部Ｇ１ｘは、突起である。ガイド部Ｇ１ｖは、各穴Ｈ１に接するように、ベース部材ＢＭ１Ａの主面ＢＭｓに設けられる。なお、各穴Ｈ１には、図９のように、２つのガイド部Ｇ１ｘが接する。すなわち、各穴Ｈ１には、ガイド部Ｇ１Ａの一部であるガイド部Ｇ１ｘが接する。
【０１１５】
また、ガイド部Ｇ１Ａは、実施の形態１のガイド部Ｇ１と同様に、ガイド部Ｇ１Ａの中心線ＣＬが、平面視（ＸＹ面）における穴Ｈ１の中心Ｃ１と重ならないように、設けられる。
【０１１６】
ガイド部Ｇ１ｘ（Ｇ１Ａ）は、例えば、ベース部材ＢＭ１Ａを製造する際に、ベース部材ＢＭ１Ａの一部として構成される。なお、ガイド部Ｇ１ｘ（Ｇ１Ａ）は、例えば、接着材等により、ベース部材ＢＭ１Ａに取付けられた部材であってもよい。
【０１１７】
次に、レーザ光源装置１００Ａを組み立てるための方法（以下、「装置組立て方法Ａ」ともいう）について説明する。装置組立て方法Ａでは、図９の治具８０Ａが使用される。
【０１１８】
治具８０Ａは、図６の治具８０と比較して、つまみ部８０ｕの代わりにつまみ部８０ｕＡを含む点が異なる。治具８０Ａのそれ以外の構成および機能は、治具８０と同様なので詳細な説明は繰り返さない。
【０１１９】
つまみ部８０ｕＡは、つまみ部８０ｕと比較して、突起Ｘ１の代わりに凹部Ｖ１を含む点が異なる。すなわち、治具８０Ａは、凹部Ｖ１を含む。つまみ部８０ｕＡのそれ以外の構成は、つまみ部８０ｕと同様なので詳細な説明は繰り返さない。
【０１２０】
以下においては、治具８０Ａの円柱部８０ｂが、ベース部材ＢＭ１Ａの穴Ｈ１に挿入された状態を、「治具挿入状態」ともいう。
【０１２１】
凹部Ｖ１は、つまみ部８０ｕＡの底面８０ｕｓの端部に設けられる。凹部Ｖ１は、ガイド部Ｇ１ｘ（Ｇ１Ａ）と篏合するための形状を有する。凹部Ｖ１は、治具８０Ａの一部である。すなわち、ガイド部Ｇ１ｘ（Ｇ１Ａ）は、治具８０Ａの一部である凹部Ｖ１と嵌合するための形状を有する。
【０１２２】
なお、治具挿入状態において、治具８０Ａの凹部Ｖ１は、ガイド部Ｇ１ｘ（Ｇ１Ａ）と篏合する。なお、治具８０Ａに設けられる凹部Ｖ１の数は、１に限定されず２以上であってもよい。
【０１２３】
以下においては、治具８０Ａの突起Ｘ２が、ステム３１のノッチ部Ｖ３に篏合した状態を、「篏合状態ＳｔＪ」ともいう。篏合状態ＳｔＪは、実施の形態１で説明したので詳細な説明は繰り返さない。
【０１２４】
次に、装置組立て方法Ａにおける各工程について説明する。装置組立て方法Ａでは、まず、把持工程Ａが行われる。把持工程Ａは、実施の形態１の把持工程の説明において治具８０を治具８０Ａと置き換えた処理が行われるので詳細な説明は繰り返さない。把持工程Ａにより、篏合状態ＳｔＪの治具８０Ａが、ベース部材ＢＭ１Ａの穴Ｈ１の数と同じ数だけ用意される。
【０１２５】
レーザ発光素子３０のノッチ部Ｖ３は、実施の形態１と同様、後述の挿入工程Ａにおいて治具８０Ａによりレーザ発光素子３０が穴Ｈ１に挿入されるために、突起Ｘ２と嵌合する部分である。
【０１２６】
次に、挿入工程Ａが行われる。挿入工程Ａでは、実施の形態１の挿入工程と同様な処理が行われる。以下、簡単に説明する。挿入工程Ａでは、作業者が、篏合状態ＳｔＪの治具８０Ａの凹部Ｖ１がベース部材ＢＭ１Ａのガイド部Ｇ１ｘ（Ｇ１Ａ）と篏合するように、当該治具８０Ａの円柱部８０ｂを穴Ｈ１に挿入する動作を行う。そして、作業者は、治具８０Ａの力発生装置が、引き寄せ力Ｐｗ１を発生しないように、当該力発生装置を操作する動作を行う。以上の動作を、作業者は、穴Ｈ１の数と同じ数だけ繰り返し行う。
【０１２７】
これにより、各穴Ｈ１に、レーザ発光素子３０が挿入される。すなわち、レーザ発光素子３０は、治具８０Ａにより、穴Ｈ１に挿入された素子である。また、ガイド部Ｇ１ｘ（Ｇ１Ａ）は、治具８０Ａによりレーザ発光素子３０が穴Ｈ１に挿入される際において凹部Ｖ１と篏合する。また、ガイド部Ｇ１ｘが凹部Ｖ１と篏合することにより、穴Ｈ１におけるレーザ発光素子３０の位置および向きが決まる。すなわち、ガイド部Ｇ１ｘ（Ｇ１Ａ）は、穴Ｈ１におけるレーザ発光素子３０の位置および向きを決めるために使用される。
【０１２８】
そして、実施の形態１と同様、固定工程およびレンズ固定工程が行われる。これにより、レーザ光源装置１００Ａの組み立ては終了する。
【０１２９】
以上説明したように、本実施の形態の変形構成Ａ１においても、実施の形態１と同様な効果が得られる。
【０１３０】
＜実施の形態３＞
実施の形態１，２のガイド部は、ベース部材の長手方向に沿って延在していた。本実施の形態の構成のガイド部は、平面視（ＸＹ面）における、ベース部材の短手方向に沿って延在する構成（以下、「変形構成Ｂ１」ともいう）である。以下においては、実施の形態１の特徴構成Ｎ１に変形構成Ｂ１を適用した構成を、「変形構成Ｎｂ」ともいう。また、以下においては、変形構成Ｎｂを適用したレーザ光源装置を、「レーザ光源装置１００Ｂ」ともいう。また、以下においては、変形構成Ｎｂを適用したベース部材を、「ベース部材ＢＭ１Ｂ」ともいう。
【０１３１】
図１０は、本発明の実施の形態３に係るレーザ光源装置１００Ｂの斜視図である。図１０を参照して、レーザ光源装置１００Ｂは、レーザ光源装置１００と比較して、ベース部材ＢＭ１の代わりにベース部材ＢＭ１Ｂを備える点が異なる。レーザ光源装置１００Ｂのそれ以外の構成は、レーザ光源装置１００と同様なので詳細な説明は繰り返さない。
【０１３２】
ベース部材ＢＭ１Ｂは、図１（ａ）のベース部材ＢＭ１と比較して、各ガイド部Ｇ１の延在する方向が異なる。ベース部材ＢＭ１Ｂのそれ以外の構成は、ベース部材ＢＭ１と同様なので詳細な説明は繰り返さない。なお、変形構成Ｎｂにおけるガイド部Ｇ１の構成および形状は、前述の特徴構成Ｎ１におけるガイド部Ｇ１と同様なので詳細な説明は繰り返さない。変形構成Ｎｂにおいて、平面視（ＸＹ面）におけるベース部材ＢＭ１Ｂの形状は、長尺状（長方形）である。
【０１３３】
ベース部材ＢＭ１Ｂでは、平面視（ＸＹ面）におけるガイド部Ｇ１の形状は、長尺状である。ベース部材ＢＭ１Ｂのガイド部Ｇ１は、平面視（ＸＹ面）における、ベース部材ＢＭ１Ｂの短手方向（Ｙ軸方向）に沿って延在する。なお、図１０では、一例として、ベース部材ＢＭ１Ｂの短手方向（Ｙ軸方向）に沿って延在する４つのガイド部Ｇ１が示されている。
【０１３４】
ベース部材ＢＭ１Ｂでは、各ガイド部Ｇ１が、Ｙ軸方向に並ぶ２個の穴Ｈ１と接するように設けられる。各ガイド部Ｇ１は、各穴Ｈ１により、３個のガイド部Ｇ１ｖに分割される。すなわち、ガイド部Ｇ１は、直線状に並ぶ複数のガイド部Ｇ１ｖから構成される。また、ガイド部Ｇ１は、実施の形態１と同様に、当該ガイド部Ｇ１の中心線ＣＬが、平面視（ＸＹ面）における穴Ｈ１の中心Ｃ１と重ならないように、設けられる。
【０１３５】
なお、変形構成Ｎｂにおける、レーザ光源装置１００Ｂの組み立てでは、実施の形態１と同様に、治具８０を使用して行われるので詳細な説明は繰り返さない。以上の変形構成Ｎｂにおいても、実施の形態１と同様な効果が得られる。
【０１３６】
以下においては、実施の形態２の特徴構成Ａ１に変形構成Ｂ１を適用した構成を、「変形構成Ａｂ」ともいう。以下においては、変形構成Ａｂを適用したレーザ光源装置を、「レーザ光源装置１００Ａｂ」ともいう。また、以下においては、変形構成Ａｂを適用したベース部材を、「ベース部材ＢＭ１Ａｂ」ともいう。
【０１３７】
レーザ光源装置１００Ａｂのベース部材ＢＭ１Ａｂ（図示せず）は、図９のベース部材ＢＭ１Ａと比較して、ガイド部Ｇ１Ａが、平面視（ＸＹ面）における、ベース部材ＢＭ１Ａの短手方向（Ｙ軸方向）に沿って延在する点が異なる。ベース部材ＢＭ１Ａｂのそれ以外の構成は、ベース部材ＢＭ１Ａと同様なので詳細な説明は繰り返さない。
【０１３８】
変形構成Ａｂのベース部材ＢＭ１Ａｂでは、各ガイド部Ｇ１Ａが、Ｙ軸方向に並ぶ２個の穴Ｈ１と接するように設けられる。各ガイド部Ｇ１Ａは、各穴Ｈ１により、３個のガイド部Ｇ１ｘに分割される。すなわち、ガイド部Ｇ１Ａは、直線状に並ぶ複数のガイド部Ｇ１ｘから構成される。また、変形構成Ａｂでは、ガイド部Ｇ１Ａは、実施の形態１と同様に、当該ガイド部Ｇ１Ａの中心線ＣＬが、平面視（ＸＹ面）における穴Ｈ１の中心Ｃ１と重ならないように、設けられる。
【０１３９】
なお、変形構成Ａｂにおける、レーザ光源装置１００Ａｂの組み立てでは、実施の形態２と同様に、治具８０Ａを使用して行われるので詳細な説明は繰り返さない。以上の変形構成Ａｂにおいても、実施の形態１と同様な効果が得られる。
【０１４０】
なお、本発明は、その発明の範囲内において、各実施の形態を自由に組み合わせたり、各実施の形態を適宜、変形、省略することが可能である。
【０１４１】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１４２】
３０  レーザ発光素子、８０，８０Ａ  治具、１００，１００Ａ，１００Ｂ  レーザ光源装置、ＢＭ１，ＢＭ１Ａ，ＢＭ１Ｂ  ベース部材、Ｇ１，Ｇ１Ａ，Ｇ１ｖ，Ｇ１ｘ  ガイド部、ＬＮ１  レンズ、ＬＵ１  光学ユニット、Ｘ１，Ｘ２  突起。
【図１】
2017017864.tif 000003
【図２】
2017017864.tif 000004
【図３】
2017017864.tif 000005
【図４】
2017017864.tif 000006
【図５】
2017017864.tif 000007
【図６】
2017017864.tif 000008
【図７】
2017017864.tif 000009
【図８】
2017017864.tif 000010
【図９】
2017017864.tif 000011
【図１０】
2017017864.tif 000012
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
レーザ光を出射する光学ユニット（ＬＵ１）と、
ベース部材（ＢＭ１，ＢＭ１Ａ，ＢＭ１Ｂ）と、を備え、
前記光学ユニットは、前記レーザ光を出射するレーザ発光素子（３０）と、当該レーザ光が透過するレンズ（ＬＮ１）とから構成され、
前記ベース部材には、前記光学ユニットを保持するための穴（Ｈ１）が設けられ、
前記ベース部材には、さらに、前記穴における前記レーザ発光素子の位置を決めるために使用されるガイド部（Ｇ１（Ｇ１ｖ），Ｇ１Ａ（Ｇ１ｘ））が設けられ、
前記ベース部材のうち、前記穴と接する部分には、前記光学ユニットの前記レーザ発光素子を保持する保持部（Ｈｘ２）が設けられ、
前記ベース部材の主面（ＢＭｓ）に、前記ガイド部および前記穴は設けられ、
前記ガイド部は前記穴と接し、
前記穴には、前記レーザ発光素子が挿入されており、
前記レーザ発光素子は、前記穴に当該レーザ発光素子を挿入させるための治具（８０，８０Ａ）により、当該穴に挿入された素子であり、
前記ガイド部は、前記治具の一部（Ｘ１，Ｖ１）と嵌合するための形状を有し、
平面視における前記ガイド部の形状は、長尺状であり、
平面視における前記穴の形状は、円であり、
前記ガイド部は、当該ガイド部の長手方向に沿って延在し、かつ、当該ガイド部の短手方向の中心をとおる中心線（ＣＬ）が、平面視における前記穴の中心（Ｃ１）と重ならないように、前記ベース部材に設けられる
レーザ光源装置。
【請求項２】
前記ガイド部と嵌合する、前記治具の一部は、突起（Ｘ１）であり、
前記ガイド部は、前記治具により前記レーザ発光素子が前記穴に挿入される際において前記突起と篏合する凹部である
請求項１に記載のレーザ光源装置。
【請求項３】
前記ガイド部と嵌合する、前記治具の一部は、凹部（Ｖ１）であり、
前記ガイド部は、前記治具により前記レーザ発光素子が前記穴に挿入される際において前記凹部と篏合する突起である
請求項１に記載のレーザ光源装置。
【請求項４】
前記ガイド部は、前記ベース部材に取付けられた部材である
請求項３に記載のレーザ光源装置。
【請求項５】
前記レーザ発光素子には、前記治具により当該レーザ発光素子が前記穴に挿入されるために、当該治具の別の一部（Ｘ２）と嵌合するノッチ部（Ｖ３）が設けられる
請求項１から４のいずれか１項に記載のレーザ光源装置。
【請求項６】
平面視における前記ベース部材の形状は、長尺状であり、
平面視における前記ガイド部の形状は、長尺状であり、
前記ガイド部は、平面視における、前記ベース部材の長手方向に沿って延在する
請求項１から５のいずれか１項に記載のレーザ光源装置。
【請求項７】
平面視における前記ベース部材の形状は、長尺状であり、
平面視における前記ガイド部の形状は、長尺状であり、
前記ガイド部は、平面視における、前記ベース部材の短手方向に沿って延在する
請求項１から５のいずれか１項に記載のレーザ光源装置。
【手続補正２】
【補正対象書類名】明細書
【補正対象項目名】００１２
【補正方法】変更
【補正の内容】
【００１２】
上記目的を達成するために、本発明の一態様に係るレーザ光源装置は、レーザ光を出射する光学ユニットと、ベース部材と、を備え、前記光学ユニットは、前記レーザ光を出射するレーザ発光素子と、当該レーザ光が透過するレンズとから構成され、前記ベース部材には、前記光学ユニットを保持するための穴が設けられ、前記ベース部材には、さらに、前記穴における前記レーザ発光素子の位置を決めるために使用されるガイド部が設けられ、前記ベース部材のうち、前記穴と接する部分には、前記光学ユニットの前記レーザ発光素子を保持する保持部が設けられ、前記ベース部材の主面に、前記ガイド部および前記穴は設けられ、前記ガイド部は前記穴と接し、前記穴には、前記レーザ発光素子が挿入されており、前記レーザ発光素子は、前記穴に当該レーザ発光素子を挿入させるための治具により、当該穴に挿入された素子であり、前記ガイド部は、前記治具の一部と嵌合するための形状を有し、平面視における前記ガイド部の形状は、長尺状であり、平面視における前記穴の形状は、円であり、前記ガイド部は、当該ガイド部の長手方向に沿って延在し、かつ、当該ガイド部の短手方向の中心をとおる中心線が、平面視における前記穴の中心と重ならないように、前記ベース部材に設けられる。
【国際調査報告】
2017017864.tif 000013
2017017864.tif 000014
2017017864.tif 000015
2017017864.tif 000016